(57)【要約】【課題】生産性等に優れ、かつ色ムラの発生が抑制された照明装置等の提供。【解決手段】本発明の照明装置１２は、発光面１７ａを有する光源１７と、発光面１７ａの反対側にある底部１４ａを有し光源１７を収容するシャーシ１４と、光源１７から離された状態で配され、発光面１７ａからの光を波長変換する蛍光体を含む波長変換シート２１と、光源１７を露出させつつ底部１４ａを覆う底側反射部１９ａと、底側反射部１９ａから外側に傾斜しつつ波長変換シート２１側に向かって立ち上がる傾斜反射部１９ｂとを有する反射シート１９と、各々が発光面１７ａから発せられた光と同色、又はその光を構成する各原色光と同色を呈し、底側反射部１９ａ側から外側に向かうにつれて単位面積当たりの密度又は色の濃度が高くなるように、傾斜反射部１９ａの表面上に配される複数のドット状の呈色部２０とを備える。【選択図】図４
2018181811.tif 000002
【特許請求の範囲】
【請求項１】
光を発する発光面を有する光源と、
前記発光面の反対側に配される底部を有し、前記光源を収容するシャーシと、
前記発光面と対向しつつ前記光源から離された状態で配され、前記発光面から発せられた光を波長変換する蛍光体を含む波長変換シートと、
前記発光面から発せられた光を前記波長変換シート側へ反射する反射シートであって、前記光源を露出させつつ前記底部を覆う底側反射部と、前記底側反射部から外側に傾斜しつつ前記波長変換シート側に向かって立ち上がる傾斜反射部とを有する反射シートと、
各々が前記発光面から発せられた光と同色、又はその光を構成する各原色光と同色を呈し、前記底側反射部側から外側に向かうにつれて単位面積当たりの密度又は色の濃度が高くなるように、前記傾斜反射部の表面上に配される複数のドット状の呈色部とを備える照明装置。
【請求項２】
前記呈色部は、前記発光面から発せられた光の色と補色の関係にある色の光の吸収率が、前記発光面から発せられた光の吸収率よりも高い請求項１に記載の照明装置。
【請求項３】
前記呈色部は、前記発光面から発せられた光の反射率が、前記発光面から発せられた光と補色の関係にある色の光の反射率よりも高い請求項１又は請求項２に記載の照明装置。
【請求項４】
前記呈色部は、前記底側反射部側から外側に向かうにつれて形状が大きくなる請求項１から請求項３の何れか一項に記載の照明装置。
【請求項５】
前記呈色部は、前記底側反射部側から外側に向かうにつれて単位面積当たりの個数が多くなる請求項１から請求項４の何れか一項に記載の照明装置。
【請求項６】
前記光源は、前記発光面から青色光と赤色光とを含むマゼンタ色光を発し、
前記波長変換シートは、前記蛍光体として、前記青色光を緑色光に波長変換する緑色蛍光体を含み、
前記呈色部は、マゼンタ色を呈するマゼンタ色呈色部からなる請求項１から請求項５の何れか一項に記載の照明装置。
【請求項７】
前記光源は、前記発光面から青色光と赤色光とを含むマゼンタ色光を発し、
前記波長変換シートは、前記蛍光体として、前記青色光を緑色光に波長変換する緑色蛍光体を含み、
前記呈色部は、青色を呈する青色呈色部と、赤色を呈する赤色呈色部とからなる請求項１から請求項６の何れか一項に記載の照明装置。
【請求項８】
前記光源は、前記発光面から青色光を発し、
前記波長変換シートは、前記蛍光体として、前記青色光を緑色光に波長変換する緑色蛍光体と、前記青色光を赤色光に波長変換する赤色蛍光体とを含み、
前記呈色部は、青色を呈する青色呈色部からなる請求項１から請求項６の何れか一項に記載の照明装置。
【請求項９】
前記波長変換シートは、前記蛍光体として硫黄化物蛍光体を含む請求項１から請求項８の何れか一項に記載の照明装置。
【請求項１０】
前記波長変換シートは、前記蛍光体として量子ドット蛍光体を含む請求項１から請求項８の何れか一項に記載の照明装置。
【請求項１１】
前記呈色部は、塗膜からなる請求項１から請求項１０の何れか一項に記載の照明装置。
【請求項１２】
前記呈色部は、印刷により形成される請求項１１に記載の照明装置。
【請求項１３】
請求項１から請求項１２の何れか一項に記載の照明装置と、
前記照明装置から照射される光を利用して画像を表示する表示パネルであって、前記反射シート、及び前記波長変換シートと平面視で重なるように、前記照明装置の光照射側に配される表示パネルとを備える表示装置。
【請求項１４】
前記表示パネルは、画像を表示する表示領域と、前記表示領域の周りを取り囲む枠状の非表示領域とを有し、
前記反射シートの前記底側反射部及び前記傾斜反射部は、平面視で前記表示領域と重なるように配される請求項１３に記載の表示装置。
【請求項１５】
請求項１４に記載の表示装置を備えるテレビ受信装置。
【発明の詳細な説明】
【技術分野】
【０００１】
本発明は、照明装置、表示装置及びテレビ受信装置に関する。
【背景技術】
【０００２】
従来の液晶表示装置の一例として、特許文献１に記載のものが挙げられる。この液晶表示装置は、液晶パネルと、いわゆる直下型のバックライト装置（照明装置）を備えている。このバックライト装置は、液晶パネルの真下に光源が配置された構成を備えており、液晶パネルの背面に向かって面状に広がった白色の光を供給する。
【０００３】
前記バックライト装置は、青色光等を一次光として出射する光源と、前記光源から離れた状態で配され、前記一次光の一部を波長変換して他の光（二次光）を放出する波長変換シートとを備えている。前記バックライト装置では、光源から出射された一次光と、波長変換シートにより波長変換された他の光（二次光）とが加法混色されることで、白色光が生成される。
【０００４】
なお、前記バックライト装置は、波長変換シート以外に、前記光源と離れた状態で配される各種の光学部材を備えている。また、バックライト装置内には、光学部材等で反射されて光源側に戻された光等を反射する反射シートが設けられている。反射シートの中央側は、液晶パネルの画面中央側と対向する形で配され、その周縁側は、液晶パネル側に向かって立ち上がりつつ傾斜した状態で、液晶パネルの画面周縁側と対向している。
【先行技術文献】
【特許文献】
【０００５】
【特許文献１】国際公開第２０１６／１３６７８７号
【発明の概要】
【発明が解決しようとする課題】
【０００６】
前記バックライト装置では、液晶パネルの画面中央側の真下に、光源が多く配設されているものの、画面周縁側の真下には、光源は配設されていない。そのため、画面周縁側の波長変換シートでは、画面中央側と比べて、一次光の供給量が少なくなる傾向がある。また、画面周縁側の波長変換シートには、画面中央側と比べて、既に波長変換された光（二次光）が多く供給され易い傾向がある。何故ならば、既に波長変換された光は、光学部材と反射シート（特に、傾斜した周縁部分）との間で何回も反射を繰り返すことで、画面周縁側の波長変換シートに多く供給されるからである。
【０００７】
このようなバックライト装置から液晶パネルに向けて出射される光の色は、画面中央側と画面周縁側とで不均一となり、いわゆる色ムラが発生することがあった。具体的には、画面周縁側に向けて出射される光は、画面中央側と比べて、二次光の色（一次光の色と補色の関係にある色）を帯びることがあった。
【０００８】
従来のバックライト装置では、このような光の色むらを抑制するために、反射シートの傾斜した周縁部分の表面に、光源の光の色味を呈する、いわゆるベタ塗り状の呈色部を形成していた。しかしながら、従来の呈色部は、反射シートの傾斜した周縁部分の表面を、全面的に覆うように形成されるため、呈色部を構成するインク（塗料）が、バックライト装置の組み立て時等において、他の部材（例えば、シャーシや光学部材）に貼り付いてしまうことがあった。
【０００９】
また、従来の呈色部は、反射シートの中央側から外側に向かって、段階的に色が濃くなるように形成されている。いわゆるベタ塗り状の呈色部において、濃度を段階的に変化させると、バックライト装置からの出射光に、濃度が異なる色同士の境界部分の影響を受けた、新たな色ムラが現れることがあった。
【００１０】
本発明の目的は、生産性等に優れ、かつ色ムラの発生が抑制された照明装置等を提供することである。
【課題を解決するための手段】
【００１１】
本発明に係る照明装置は、光を発する発光面を有する光源と、前記発光面の反対側に配される底部を有し、前記光源を収容するシャーシと、前記発光面と対向しつつ前記光源から離された状態で配され、前記発光面から発せられた光を波長変換する蛍光体を含む波長変換シートと、前記発光面から発せられた光を前記波長変換シート側へ反射する反射シートであって、前記光源を露出させつつ前記底部を覆う底側反射部と、前記底側反射部から外側に傾斜しつつ前記波長変換シート側に向かって立ち上がる傾斜反射部とを有する反射シートと、各々が前記発光面から発せられた光と同色、又はその光を構成する各原色光と同色を呈し、前記底側反射部側から外側に向かうにつれて単位面積当たりの密度又は色の濃度が高くなるように、前記傾斜反射部の表面上に配される複数のドット状の呈色部とを備える。
【００１２】
前記照明装置において、前記呈色部は、前記発光面から発せられた光の色と補色の関係にある色の光の吸収率が、前記発光面から発せられた光の吸収率よりも高いことが好ましい。
【００１３】
前記照明装置において、前記呈色部は、前記発光面から発せられた光の反射率が、前記発光面から発せられた光と補色の関係にある色の光の反射率よりも高いことが好ましい。
【００１４】
前記照明装置において、前記呈色部は、前記底側反射部側から外側に向かうにつれて形状が大きくなることが好ましい。
【００１５】
前記照明装置において、前記呈色部は、前記底側反射部側から外側に向かうにつれて単位面積当たりの個数が多くなることが好ましい。
【００１６】
前記照明装置において、前記光源は、前記発光面から青色光と赤色光とを含むマゼンタ色光を発し、前記波長変換シートは、前記蛍光体として、前記青色光を緑色光に波長変換する緑色蛍光体を含み、前記呈色部は、マゼンタ色を呈するマゼンタ色呈色部からなるものであってもよい。
【００１７】
前記照明装置において、前記光源は、前記発光面から青色光と赤色光とを含むマゼンタ色光を発し、前記波長変換シートは、前記蛍光体として、前記青色光を緑色光に波長変換する緑色蛍光体を含み、前記呈色部は、青色を呈する青色呈色部と、赤色を呈する赤色呈色部とからなるものであってもよい。
【００１８】
前記照明装置において、前記光源は、前記発光面から青色光を発し、前記波長変換シートは、前記蛍光体として、前記青色光を緑色光に波長変換する緑色蛍光体と、前記青色光を赤色光に波長変換する赤色蛍光体とを含み、前記呈色部は、青色を呈する青色呈色部からなるものであってもよい。
【００１９】
前記照明装置において、前記波長変換シートは、前記蛍光体として硫黄化物蛍光体を含むことが好ましい。また、前記照明装置において、前記波長変換シートは、前記蛍光体として量子ドット蛍光体を含むものであってもよい。
【００２０】
前記照明装置において、前記呈色部は、塗膜からなるものであってもよい。また、前記照明装置において、前記呈色部は、印刷により形成されてもよい。
【００２１】
また、本発明に係る表示装置は、前記何れかに記載の照明装置と、前記照明装置から照射される光を利用して画像を表示する表示パネルであって、前記反射シート、及び前記波長変換シートと平面視で重なるように、前記照明装置の光照射側に配される表示パネルとを備える。
【００２２】
前記表示装置において、前記表示パネルは、画像を表示する表示領域と、前記表示領域の周りを取り囲む枠状の非表示領域とを有し、前記反射シートの前記底側反射部及び前記傾斜反射部は、平面視で前記表示領域と重なるように配されてもよい。
【００２３】
また、本発明に係るテレビ受信装置は、前記表示装置を備える。
【発明の効果】
【００２４】
本発明によれば、生産性等に優れ、色ムラの発生が抑制された照明装置等を提供することができる。
【図面の簡単な説明】
【００２５】
【図１】本発明の実施形態１に係るテレビ受信装置の概略構成を示す分解斜視図
【図２】図１に示される液晶表示装置のＡ−Ａ線断面図
【図３】液晶表示装置が備える照明装置の平面図
【図４】図２に示される液晶表示装置の拡大断面図
【図５】反射シートの拡大平面図
【図６】実施形態２の照明装置が備える呈色部が形成された反射シートの一部を拡大した平面図
【図７】実施形態３の照明装置が備える呈色部が形成された反射シートの一部を拡大した平面図
【図８】実施形態４の照明装置が備える呈色部が形成された反射シートの一部を拡大した平面図
【図９】実施形態５の照明装置が備える呈色部が形成された反射シートの一部を拡大した平面図
【図１０】実施形態６の照明装置が備える呈色部が形成された反射シートの一部を拡大した平面図
【発明を実施するための形態】
【００２６】
＜実施形態１＞
本発明の実施形態１を、図１から図５を参照しつつ説明する。本実施形態では、照明装置（バックライト装置）１２を備えるテレビ受信装置１０ＴＶ（液晶表示装置１０）を例示する。なお、各図面には、説明の便宜上、Ｘ軸、Ｙ軸及びＺ軸が示されている。
【００２７】
テレビ受信装置１０ＴＶは、図１に示されるように、主として、液晶表示装置（表示装置の一例）１０と、その液晶表示装置１０を前後（表裏）両側から挟むようにして収容する表裏両キャビネット１０Ｃａ，１０Ｃｂと、電源１０Ｐと、テレビ信号を受信するチューナー（受信部）１０Ｔと、スタンド１０Ｓとを備えている。液晶表示装置１０は、全体的には左右方向（Ｘ軸方向）に長く延びた横長の矩形状をなしている。液晶表示装置１０は、図２に示されるように、主として、表示パネルとして利用される液晶パネル１１と、液晶パネル１１に対して光を供給する外部光源としての照明装置（バックライト装置）１２と、液晶パネル１１及び照明装置１２等を保持する枠状のベゼル１３等を備えている。
【００２８】
液晶パネル１１は、主として、一対の透明な基板と、それらの間で挟まれる形で封止される液晶層とを備えたものからなり、照明装置１２から出射される光を利用して、パネル面上に視認可能な状態で画像を表示させる。図２において、液晶パネル１１の表側にある表示面１１ａは上側に示され、裏側にある背面１１ｂは下側に示されている。液晶パネル１１は、全体的には、平面視で横長の矩形状をなしている。液晶パネル１１を構成する一対の基板のうち、一方の基板はアレイ基板であり、透明なガラス製の基板上に、スイッチング素子であるＴＦＴ(Thin Film Transistor)や画素電極等がマトリクス状に配設されたものからなる。なお、ＴＦＴ基板の内側の面（液晶層側の面）には、更に配向膜等が形成されている。また、他方の基板は、カラーフィルタ（以下、ＣＦ）基板であり、透明なガラス製の基板上に、赤色、緑色、青色の各色からなるカラーフィルタがマトリクス状に配設されたものからなる。なお、ＣＦ基板の内側（液晶層側）には、カラーフィルタを格子状に区画するブラックマトリクスや、液晶パネル１１の周縁に沿って配される枠状の遮光部１１ｃ、更に配向膜等が形成されている。また、ＴＦＴ基板及びＣＦ基板の各外側には、それぞれ偏光板が配されている。
【００２９】
液晶パネル１１の表示面１１ａのうち、枠状の遮光部１１ｃよりも内側の部分が、画像が表示される表示領域ＡＡとなっている。そして、表示領域ＡＡの外側の枠状の領域は、画像が表示されない非表示領域ＮＡＡとなっている。表示領域ＡＡは、平面視で横長の矩形状である。遮光部１１ｃは、平面視で、表示領域ＡＡの周りを取り囲む枠状をなしている。
【００３０】
照明装置１２は、液晶パネル１１の背面側に配され、液晶パネル１１に向けて光を供給する。照明装置１２は、白色光を出射するように構成されている。本実施形態の照明装置１２は、所謂直下型である。照明装置１２は、図２に示されるように、主として、シャーシ１４、光学部材１５、フレーム１６、ＬＥＤ（光源）１７が実装されたＬＥＤ基板（光源基板）１８、呈色部（マゼンタ色呈色部）２０が設けられた反射シート１９、波長変換シート２１等を備えている。
【００３１】
シャーシ１４は、全体的には、表側（光出射側、液晶パネル１１側）に開口した浅底の略箱型をなし、例えば、アルミニウム板や電気亜鉛めっき鋼板（ＳＥＣＣ）等の金属板から構成される。シャーシ１４の開口部は、光出射部１４ｂとなっている。また、シャーシ１４は、液晶パネル１１等と同様、平面視略矩形状をなした板状の底部１４ａと、その底部１４ａの四辺（周縁）から、外側に傾斜しつつ表側（光出射側）に向けて立ち上がる板状の側壁部１４ｃと、各側壁部１４ｃの立ち上がり端から外向きに張り出した板状の受け部１４ｄと、各受け部１４ｄから表側に立ち上がる立壁部１４ｅとを備えている。なお、光出射部１４ｂは、立壁部１４ｅで囲まれた内側の部分からなる。シャーシ１４の内側には、ＬＥＤ１７が実装されたＬＥＤ基板１８、反射シート１９、光学部材１５、波長変換シート２１等の各種部材が収容される。このようなシャーシ１４内において、ＬＥＤ基板１８は裏面側が底部１４ａと対面する形で収容されている。つまり、底部１４ａはＬＥＤ１７の発光面１７ａ側とは反対側に配されている。シャーシ１４の受け部１４ｄは、全体的には枠状をなしており、そのような受け部１４ｄに対して表側から光学部材１５や波長変換シート２１が載置される。立壁部１４ｅは、全体的には、受け部１４ｄの外周縁から立ち上がる枠状（筒状）をなしており、受け部１４ｄ上に載置された光学部材１５や波長変換シート２１の周りを取り囲む。また、立壁部１４ｅには、枠状のフレーム１６が組み付けられる。なお、シャーシ１４の外側には、図示されないコントロール基板やＬＥＤ駆動基板等の基板類が取り付けられている。また、各図において、シャーシ１４は、長辺方向がＸ軸方向と一致し、かつ短辺方向がＹ軸方向と一致するように示されている。
【００３２】
光学部材１５は、液晶パネル１１等と同様、平面視略矩形状をなしており、液晶パネル１１の表示領域ＡＡよりも大きく設定されている。また、光学部材１５は、その外縁部がシャーシ１４の受け部１４ｄ等に載せられて、シャーシ１４の光出射部１４ｂを覆うと共に、液晶パネル１１とＬＥＤ１７との間に配されている。このような光学部材１５は、ＬＥＤ１７から離れた状態で、その発光面１７ａと対向している。光学部材１５は、裏側（ＬＥＤ１７側）に配され、シャーシ１４の受け部１４ｄに載せられる拡散板１５ａと、表側（液晶パネル１１側）に配され、受け部１４ｄに固定されたフレーム１６上に載せられる光学シート１５ｂとに大別される。拡散板１５ａは、所定の厚みを有する略透明な樹脂製の板材中に多数の拡散粒子が分散された構成を備えている。本実施形態の拡散板１５ａは、裏側に配される第１拡散板１５ａ１と、表側に配される第２拡散板１５ａ２とからなる。第１拡散板１５ａ１の表面には、長辺方向（Ｘ軸方向）に沿って延びつつ、短辺方向（Ｙ軸方向）に並ぶ複数のレンチキュラーレンズが形成され、第２拡散板１５ａ２の表面には、短辺方向（Ｙ軸方向）に沿って延びつつ、長辺方向（Ｘ軸方向）に並ぶ複数のレンチキュラーレンズが形成されている。第１拡散板１５ａ１及び第２拡散板１５ａ２は、互いのレンチキュラーレンズが交差するように重ねられている。なお、後述するように、拡散板１５ａの表側には、波長変換シート２１が重ねられる。
【００３３】
光学シート１５ｂは、拡散板１５ａと比べて、厚みが小さいシート状をなしており、２枚のシートからなる。具体的には、レンズシート（プレズムシート）２２と、レンズシート２２の表側に重ねられる反射型偏光シート２３とからなる。
【００３４】
レンズシート２２は、シート状の基材と、基材の表側の表面に設けられるプリズム部とからなる。プリズム部は、長辺方向（Ｘ軸方向）に沿って延びつつ、短辺方向（Ｙ軸方向）に並ぶ複数の単位プリズムから構成されている。レンズシート２２は、このようなプリズム部を備えることにより、拡散板１５ａ側（波長変換シート２１側）からの光に、単位プリズムの並び方向（Ｙ軸方向）について選択的に集光作用（異方性集光作用）を付与できる。
【００３５】
反射型偏光シート２３は、反射型偏光フィルムと、反射型偏光フィルムを表裏から挟み込む一対の拡散フィルムとからなる。反射型偏光フィルムは、例えば、屈折率の互いに異なる層を交互に積層した多層構造からなり、レンズシート２２からの光のうち、ｐ波を透過させ、ｓ波を裏側へ反射させる。反射型偏光フィルムによって反射されたｓ波は、後述する反射シート１９等によって、再度表側に反射され、その際に、ｓ波とｐ波に分離する。このように、反射型偏光シート２３は、反射型偏光フィルムを備えることで、本来ならば、液晶パネル１１の偏光板によって吸収されるｓ波を、裏側（反射シート１９側）へ反射させることで有効活用することができ、光の利用効率（輝度）を高めることができる。一対の拡散フィルムは、ポリカーボネート樹脂等の透明な合成樹脂材料からなり、反射型偏光フィルム側とは反対側の表面に、光に拡散作用を付与するためのエンボス加工が施されている。
【００３６】
フレーム（枠状部材）１６は、シャーシ１４の表側に被せられる内側が開口した枠状の部材である。フレーム１６は、例えば、合成樹脂からなり、光反射性を有するように白色塗装されている。フレーム１６は、平面視で枠状をなしつつその内周縁側が、シャーシ１４内に収容された波長変換シート２１の周端部を、表側から覆う被覆部１６ａと、その被覆部１６ａからシャーシ１４の底部１４ａ側に向かって延びつつ、シャーシ１４の立壁部１４ｅに外側から取り付けられる外壁部１６ｂとを備える。
【００３７】
フレーム１６の被覆部１６ａは、受け部１４ｄとの間で、シャーシ１４内に収容された拡散板１５ａ及び波長変換シート２１からなる積層物の周端部を挟持する。被覆部１６ａは、拡散板１５ａ上に載せられた波長変換シート２１の周端部に対して表側から当接している。また、フレーム１６の被覆部１６ａは、光学シート１５ｂ及び液晶パネル１１を裏側から受ける構成となっている。更に、被覆部１６ａは、表側で光学シート１５ｂの周端部を受ける構成となっている。液晶パネル１１は、光学シート１５ｂの表側に重ねられた状態で、フレーム１６の被覆部１６ａに載せられる。光学シート１５ｂ及び液晶パネル１１からなる積層物は、その周端部がフレーム１６の被覆部１６ａと表側に配されるベゼル１３との間で挟持されることで、位置決めされる。
【００３８】
フレーム１６の被覆部１６ａの大部分は、液晶パネル１１の非表示領域ＮＡＡに配されているものの、被覆部１６ａの内周縁側の端部は、液晶パネル１１の表示領域ＡＡに入り込んでいる。つまり、被覆部１６ａは、非表示領域ＮＡＡから表示領域ＡＡに亘って配されている。なお、被覆部１６ａは、シャーシ１４の受け部１４ｄよりも表示領域ＡＡ側に突き出している。
【００３９】
ＬＥＤ１７は、発光面１７ａが液晶パネル１１側（光学部材１５側）を向くようにＬＥＤ基板１８上に表面実装される。ＬＥＤ１７は、発光面１７ａがＬＥＤ基板１８側とは反対側を向く、いわゆる頂面発光型である。ＬＥＤ１７の発光面１７ａから出射される光の光軸は、液晶パネル１１の表示面の法線方向と一致している。ここでいう「光軸」とは、ＬＥＤ１７の発光面１７ａから発せられた光のうち、発光強度が最も高い光の方向と一致する軸のことである。
【００４０】
ＬＥＤ１７は、発光面１７ａから一次光としてマゼンタ色の光（マゼンタ色光）を出射する。ＬＥＤ１７は、発光源として青色光（約４２０ｎｍ〜約５００ｎｍの波長領域）を出射する青色ＬＥＤチップ（青色発光素子）を有する。ＬＥＤ１７は、青色ＬＥＤチップを、赤色蛍光体を含む封止材によって所定のケース内に封止したものからなる。青色ＬＥＤチップは、ＩｎＧａＮ等の半導体材料からなり、順方向に電圧が印加されることで青色光を発する。なお、青色ＬＥＤチップは、図示されないリードフレームによってケース外に配されたＬＥＤ基板１８の配線パターンに接続される。前記封止材は、透明な樹脂中に赤色蛍光体を分散させたものからなる。青色ＬＥＤチップから出射された光の一部は、封止材中の赤色蛍光体に吸収され、赤色の光に波長変換される。つまり、赤色蛍光体は、青色ＬＥＤチップからの光（青色光）を吸収して励起し、赤色光（約６００ｎｍ〜約７８０ｎｍの波長領域）を放出する。その結果、ＬＥＤ１７の発光面１７ａからは、青色ＬＥＤチップからの青色光と、赤色蛍光体かの赤色光とが加法混色されたマゼンタ色の光（マゼンタ色光）が出射される。本実施形態では、複数個のＬＥＤ１７が利用される。
【００４１】
ＬＥＤ基板１８は平面視四角形状をなし、本実施形態では複数のＬＥＤ基板１８が利用される。複数のＬＥＤ基板１８は、互いに各辺の向きを揃えつつ、整列された状態でシャーシ１４の底部１４ａ上に配設されている。各ＬＥＤ基板１８は、各辺がＸ軸方向及びＹ軸方向に一致するように配設されている。ＬＥＤ基板１８は、例えば、アルミ系材料からなる板材の表面に絶縁層を介して銅箔等の金属膜からなる配線パターンを形成したものからなる。なお、ＬＥＤ基板１８の最表面には、白色の反射層が形成されてもよい。ＬＥＤ基板１８の表側の板面には、上述した複数個のＬＥＤ１７が表面実装されている。なお、ＬＥＤ基板１８の表側の板面を、実装面１８ａと称する。各ＬＥＤ１７は、実装面１８ａ内に配索形成された配線パターンに対して電気的に接続されている。
【００４２】
１つのＬＥＤ基板１８上において、複数個のＬＥＤ１７が、互いに間隔を保ちつつ、行列状に並ぶ形で配置されている。また、全てのＬＥＤ１７は、シャーシ１４の底部１４ａ上において、互いに間隔を保ちつつ、行列状に並ぶ形となっている。つまり、複数のＬＥＤ１７は、シャーシ１４の底部１４ａ側に、面状に広がった状態で配設されている。なお、すべてのＬＥＤ１７は、平面視で液晶パネル１１の表示領域ＡＡ内に収まるように配設されている。各ＬＥＤ１７は、液晶パネル１１の長辺方向（Ｘ軸方向）及び短辺方向（Ｙ軸方向）にそれぞれ沿いつつ、互いに等間隔で並ぶ形で配置されている。また、隣り合ったＬＥＤ基板１８の間の距離（間隔）は、一定に設定されている。
【００４３】
各ＬＥＤ基板１８には、図示されない配線部材が接続されるコネクタ部が設けられており、前記配線部材を介してＬＥＤ駆動基板から駆動電力が供給される。なお、各ＬＥＤ基板１８上の各ＬＥＤ１７は、前記ＬＥＤ駆動基板に制御されて、部分駆動（ローカルディミング）を行うことも可能である。
【００４４】
反射シート（反射部材）１９は、光反射性に優れる白色のシートからなり、例えば、白色の発泡性プラスチックシート（発泡性ポリエチレンテレフタレートシート）から構成される。反射シート１９は、全体的には、表側に開口した浅底の箱型に組み立てられており、シャーシ１４の内面の略全域を覆うように、シャーシ１４内に収容されている。反射シート１９は、平面視で液晶パネル１１の表示領域ＡＡよりも大きく設定されている。反射シート１９自体の表面の光反射率は略一定であり、このような反射シート１９は、全ての可視光を反射（乱反射）する。後述するように、反射シート１９の表面には、複数の呈色部２０が形成されている。
【００４５】
反射シート１９は、シャーシ１４内の光を、表側（光学部材１５側）に向けて反射させる。反射シート１９は、シャーシ１４の底部１４ａを覆う矩形状の底側反射部１９ａと、底側反射部１９ａの４つの辺に対応する各側縁から外側に傾斜しつつ液晶パネル１１側（波長変換シート２１側）に向かって立ち上がる４つの傾斜反射部１９ｂと、傾斜反射部１９ｂから外側に向かって延び、シャーシ１４の受け部１４ｄを覆う延設部１９ｃとを備えている。底側反射部１９ａは、底部１４ａ上に配設されている全てのＬＥＤ基板１８の表面（実装面）１８ａを、全面的にまとめて覆う部分である。なお、底側反射部１９ａには、複数の開口状の挿通部１９ｄが設けられており、各挿通部１９ｄにＬＥＤ基板１８上の各ＬＥＤ１７を１つずつ挿通させて、各挿通部１９ｄから各ＬＥＤ１７を露出させている。
【００４６】
傾斜反射部１９ｂは、底側反射部１９ａの２つの短辺側の側縁から立ち上がる一対の短辺側傾斜反射部１９ｂ１，１９ｂ２と、底側反射部１９ａの２つの長辺側の側縁から立ち上がる一対の長辺側傾斜反射部１９ｂ３，１９ｂ４とからなる（図３参照）。延設部１９ｃは、シャーシ１４の短辺方向及び長辺方向に沿ってそれぞれ細長く延びた帯状をなしている。なお、底側反射部１９ａ及び傾斜反射部１９ｂは、平面視で、液晶パネル１１の表示領域ＡＡ内に収まる大きさに設定されている。
【００４７】
延設部１９ｃは、全体的には、底側反射部１９ａ及び傾斜反射部１９ｂの周りを取り囲む枠状をなしている。延設部１９ｃは、各短辺側傾斜反射部１９ｂ１，１９ｂ２の先端に延設される一対の短辺側延設部１９ｃ１，１９ｃ２と、各長辺側傾斜反射部１９ｂ３，１９ｂ４の先端に延設される一対の長辺側延設部１９ｃ３，１９ｃ４とからなる。
【００４８】
なお、延設部１９ｃは、表裏方向（Ｚ軸方向）において、表側に配される光学部材１５（拡散板１５ａ、光学シート１５ｂ）の周端部、及び波長変換シート２１の周端部と重なるように、シャーシ１４の受け部１４ｄに載せられている。また、延設部１９ｃは、その大部分は、平面視で液晶パネル１１の非表示領域ＮＡＡと重なっているものの、その一部は、表示領域ＡＡと重なっている。つまり、延設部１９ｃは、非表示領域ＮＡＡから表示領域ＡＡに亘って形成されている。なお、フレーム１６の被覆部１６ａは、延設部１９ｃよりも、内側（表示領域ＡＡ側）に突き出した形となっている。延設部１９ｃは、平面視で、被覆部１６ａで完全に覆われた状態となっている。
【００４９】
波長変換シート２１は、ＬＥＤ１７からの光を波長変換するための蛍光体を含有する蛍光体層と、蛍光体層を表裏から挟み込む一対の透明な基材層とを備えている。蛍光体層は、樹脂中に多数の蛍光体が分散されたものからなる。蛍光体層中の蛍光体としては、ＬＥＤ１７から出射された青色光（単色光）によって励起されて、緑色の光（約５００ｎｍ〜約５７０ｎｍの波長領域）を放出する緑色蛍光体が利用される。このような緑色蛍光体としては、比較的シャープな発光スペクトルを有するものが好ましく、例えば、「ＳｒＧａ２Ｓ４：Ｅｕ２＋」等の硫化物蛍光体が用いられる。
【００５０】
波長変換シート２１は、液晶パネル１１等と同様、平面視矩形状をなしており、光学部材１５の拡散板１５ａと略同等の大きさである。つまり、波長変換シート２１は、液晶パネル１１の表示領域ＡＡよりも大きく設定されている。波長変換シート２１は、拡散板１５ａよりも厚みの小さいシート状であり、シャーシ１４内において、拡散板１５ａ上に載置される。具体的には、２枚重ねの状態の拡散板１５ａのうち、表側に配される第２拡散板１５ａ２の表面を覆うように配されている。波長変換シート２１の周端部は、表裏方向（Ｚ軸方向）において、拡散板１５ａ（第２拡散板１５ａ２）の表側に載せられた状態で、シャーシ１４の受け部１４ｄ、及び受け部１４ｄ上に載せられた反射シート１９の延設部１９ｃと重なるように対向している。また、波長変換シート２１の周端部は、拡散板１５ａに載せられた状態で、拡散板１５ａの周端部と共に、フレーム１６の被覆部１６ａと、シャーシ１４の受け部１４ｄとの間で挟持される。
【００５１】
シャーシ１４内において、ＬＥＤ１７が配置されている領域は、反射シート１９の底側反射部１９ａが配置されている領域と略同じである。つまり、反射シート１９の傾斜反射部１９ｂ、及び延設部１９ｃが配置されている領域に、ＬＥＤ１７は配置されていない。そのため、照明装置１２内において、ＬＥＤ１７から発せられた一次光（マゼンタ色光）は、底側反射部１９ａと比べて傾斜反射部１９ｂに供給され難く、ＬＥＤ１７からの一次光（マゼンタ色光）に係る光量の分布が、表示面１１ａ（表示領域ＡＡ）の中央側（底側反射部１９ａ側）で高く、表示面１１ａ（表示領域ＡＡ）の周縁側（傾斜反射部１９ｂ側）で低くなり易い状況となっている。特に、表示面１１ａ（表示領域ＡＡ）の周縁において、外側に行く程、前記光量が少なくなり易い状況にある。
【００５２】
また、傾斜反射部１９ｂでは、波長変換シート２１で既に波長変換された光のうち、光学シート１５ｂで反射される等した後、反射シート１９側に戻される光（戻り光）の割合が高くなり易い。傾斜反射部１９ｂと光学部材１５との距離は、内側（底側反射部１９ａ側）から外側（延設部１９ｃ）に向かうにつれて徐々に短くなっており、傾斜反射部１９ｂによる反射光は、傾斜反射部１９ｂの外側に行く程、光学部材１５との間で多重反射し易くなっている。そのため、傾斜反射部１９ｂの外側に行く程、波長変換シート２１による波長変換効率が相対的に高くなり易い。
【００５３】
照明装置１２内において、波長変換シート２１に供給される光（一次光）の量に偏りが生じると、最終的に照明装置１２から出射される一次光（マゼンタ色光）と、波長変換シート２１で波長変換された光（二次光）との比率が、表示領域ＡＡの中央側と、表示領域ＡＡの周縁側とで異なることになる。その場合、照明装置１２からの出射光、及び液晶パネル１１の表示画像に色ムラが発生する。具体的には、表示領域ＡＡの周縁側で、ＬＥＤ１７からの一次光の光量が相対的に少なくなり、その部分が、一次光の色（マゼンタ色）と補色の関係にある緑色を帯びることになる。
【００５４】
そこで、本実施形態の照明装置１２では、色ムラの発生を抑制するために、反射シート１９の傾斜反射部１９ｂの表面上に、ＬＥＤ１７の発光面１７ａから発せられた光と同色（つまり、マゼンタ色）を呈する複数のドット状の呈色部（マゼンタ色呈色部）２０が形成されている。呈色部は、マゼンタ色を呈する顔料を含む塗膜からなる。このような塗膜は、前記顔料を含む塗料を、公知の塗工技術（例えば、印刷技術）を利用して形成されたものからなる。前記塗膜は、必要に応じて、適宜、乾燥される。呈色部２０は、発光面１７ａから発せられた光（マゼンタ色光）の色と補色の関係にある色の光（緑色光）の吸収率が、発光面１７ａから発せられた光（マゼンタ色光（青色光、赤色光））の吸収率よりも高くなっている。また、呈色部２０は、発光面１７ａから発せられた光（マゼンタ色光（青色光、赤色光））の反射率が、発光面１７ａから発せられた光と補色の関係にある色の光（緑色光）の反射率よりも高くなっている。つまり、呈色部２０は、緑色光を吸収して、マゼンタ色光（青色光、赤色光）を反射する機能を備えている。これにより、呈色部２０で反射された光（例えば、白色の戻り光）は、呈色部２０が設けられていない白色の部分（反射シート１９）で反射された場合と比べて、マゼンタ色を帯びることになる。
【００５５】
図３に示されるように、底側反射部１９ａの周りに配される４つの傾斜反射部１９ｂの表面上に、複数のドット状の呈色部２０が形成されている。各呈色部２０は、平面視で円形をなしており、傾斜反射部１９ｂの略全域に散らばるように形成されている。なお、隣り合った呈色部２０の間からは、白色の底側反射部１９ａが露出している。各呈色部２０は、底側反射部１９ａ側から外側（延設部１９ｃ）に向かうにつれて、サイズ（大きさ）が大きくなるように設定されている。つまり、各呈色部２０は、底側反射部１９ａ側から外側（延設部１９ｃ）に向かうにつれて、単位面積Ｓ１当たりの密度が高くなるように設定されている。なお、ここでの「単位面積Ｓ１」は、例えば、最も大きな呈色部２０が内側に収まる正方形の面積Ｓとして定義される。本実施形態の場合、傾斜反射部１９ｂの表面が、底側反射部１９ａ側から外側（延設部１９ｃ）に亘って、単位面積Ｓ１に対応する複数の領域に分割される。例えば、図５に示されるように、短辺側傾斜反射部１９ｂ１の表面は、底側反射部１９ａと短辺側傾斜反射部１９ｂ１との間の境界線Ｌ１から、短辺側延設部１９ｃ１と短辺側傾斜反射部１９ｂ１との間の境界線Ｌ２との間において、単位面積Ｓ１に相当する正方形で、複数の領域に分割される。単位面積Ｓ１は、最も外側に配される最も大きな呈色部２０ａ（図５参照）を基準に定められる。このように単位面積Ｓ１毎に分割された各領域では、底側反射部１９ａ側から外側（延設部１９ｃ側）に向かうにつれて、各領域（単位面積Ｓ１）内の呈色部２０が大きくなっている。１つの単位面積Ｓ１の中には、１つの呈色部２０のみが含まれていれもよいし、複数の呈色部２０が含まれていてもよい。また、１つの単位面積Ｓ１の中に、呈色部２０の一部が含まれていてもよい。単位面積Ｓ１当たりの呈色部２０の密度は、単位面積Ｓ１中に含まれるすべての呈色部２０に基づくものである。なお、本実施形態の場合、各呈色部２０の濃度（色の濃さ）は、同じに設定されている。また、各呈色部２０は、傾斜反射部１９ｂと底側反射部１９ａとの境界線が延びる方向においては、等間隔で配設されている。各呈色部２０は、全体的には、傾斜反射部１９ｂの表面上に全面的に拡がるように形成されている。
【００５６】
なお、底側反射部１９ａには、上述した傾斜反射部１９ｂの呈色部２０と同様、ＬＥＤ１７の発光面１７ａから発せられた光と同色（マゼンタ色）の呈色部３０が複数設けられている。本実施形態の呈色部３０は、底側反射部１９ａの表面上において、均等に分布するように行列状に配設されている。各呈色部３０の大きさは、略同じである。呈色部３０の濃度（色の濃さ）は、傾斜反射部１９ｂの呈色部２０と同様である。たたし、底側反射部１９ａ側は、傾斜反射部１９ｂ側と比べて、ＬＥＤ１７からの光（一次光）が十分供給されるため、単位面積当たりの密度については、呈色部３０の方が、呈色部２０よりも小さく設定されている。なお、底側反射部１９ａの最も外側に配設される呈色部３０は、製造設備上の都合で、内側に配設される呈色部３０と比べて、サイズが小さくされている。
【００５７】
また、延設部１９ｃにも、上述した傾斜反射部１９ｂの呈色部２０と同様、ＬＥＤ１７の発光面１７ａから発せられた光と同色（マゼンタ色）の呈色部４０が複数設けられている。本実施形態の呈色部４０は、延設部１９ｃの表面上において、均等に配列しつつ、全体として、底側反射部１９ａ及び傾斜反射部１９ｂを取り囲む枠状をなす形で、配設されている。各呈色部４０の大きさは、略同じである。底側反射部１９ａの呈色部３０、及び延設部１９ｃの呈色部４０は、傾斜反射部１９ｂの呈色部２０と同様、緑色光を吸収して、マゼンタ色光（青色光、赤色光）を反射する機能を備えている。
【００５８】
以上のような照明装置１２を備えた液晶表示装置１０の電源が投入されると、図示されないコントロール基板から出力される各種信号が液晶パネル１１に伝送され、液晶パネル１１の表示が制御されると共に、図示されないＬＥＤ駆動基板によりＬＥＤ基板１８上のＬＥＤ１７の点灯駆動が制御される。ＬＥＤ１７の発光面１７ａから発せられた光は、光学部材１５及び波長変換シート２１で所定の光学作用が付された後、最終的に、液晶パネル１１側に向かう光となる。このような光を利用することで、液晶パネル１１の表示領域ＡＡに、視認可能な画像が表示される。
【００５９】
ここで、照明装置１２における光学部材１５及び波長変換シート２１での光学作用について詳細に説明する。ＬＥＤ１７の発光面１７ａからは、青色光と赤色光からなるマゼンタ色光が一次光として出射される。ＬＥＤ１７からの一次光は、拡散板１５ａ（第１拡散板１５ａ１、第２拡散板１５ａ２）で拡散作用が付与され、その後、その一部は、拡散板１５ａ上の波長変換シート２１に入射する。波長変換シート２１に入射した一次光のうち、青色光の一部は、波長変換シート２１中の緑色蛍光体により波長変換されて緑色光（二次光）となって放出される。波長変換シート２１からは、緑色光と共に、波長変換されずに透過した青色光や赤色光が出射される。このように、波長変換シート２１からは、ＬＥＤ１７からの一次光（青色光、赤色光）と、波長変換後に得られた二次光（緑色光）とが出射されることで、白色光が形成される。
【００６０】
なお、波長変換シート２１から出射された一次光（青色光、赤色光）と、二次光（緑色光）とは、レンズシート２２に入射して集光作用が付与され、その後、反射型偏光シート２３において、特定の偏光光（ｐ波）が選択的に透過されて液晶パネル１１に向かい、それとは異なる特定の偏光光（ｓ波）が選択的に裏側へ反射される。反射型偏光シート２３で反射されたｓ波の光、レンズシート２２で集光作用を付与されずに裏側に向けて反射された光、更には拡散板１５ａで裏側に向けて反射された光等は、反射シート１９で反射されて再び表側に向けて進行することになる。
【００６１】
次いで、反射シート１９及び呈色部２０等の光学作用について詳細に説明する。反射シート１９は、直接、光学部材１５側に向かわないＬＥＤ１７からの一次光（青色光及び赤色光からなるマゼンタ色光）や、光学部材１５等で裏側へ戻された光（一次光及び二次光）を、表側に向けて反射する。反射シート１９において、傾斜反射部１９ｂには、底側反射部１９ａよりも、単位面積当たりの密度が高くなるように、呈色部２０が形成されている。そのため、傾斜反射部１９ｂ側に供給される一次光の量が、底側反射部１９ａ側に供給される一次光の量よりも少なくても、傾斜反射部１９ｂ側では、呈色部２０が多くの一次光（マゼンタ色光）を反射するため、傾斜反射部１９ｂ側での反射光と、底側反射部１９ａ側での反射光との間に、色の差が生じることが抑制されている。
【００６２】
また、傾斜反射部１９ｂと、光学部材１５との間で多重反射が生じて波長変換シート２１による光の波長変換効率が局所的に高くなり、傾斜反射部１９ｂ側に二次光（緑色光）が多く供給されても、傾斜反射部１９ｂ側では、呈色部２０が多くの二次光（緑色光）を吸収するため、傾斜反射部１９ｂ側での反射光と、底側反射部１９ａ側での反射光との間に、色の差が生じることが抑制されている。つまり、戻り光として傾斜反射部１９ｂ側に白色光が供給されると、一次光であるマゼンタ色光（青色光、赤色光）は呈色部２０で反射され、二次光である緑色光は呈色部２０で吸収される。
【００６３】
また、傾斜反射部１９ｂにおいても、内側（底側反射部１９ａ側）から外側（延設部１９ｃ側）に向かうにつれて、単位面積Ｓ１当たりの呈色部２０の密度が高くなるように設定されているため、傾斜反射部１９ｂの内側寄りの部分での反射光と、傾斜反射部１９ｂの外側寄りの部分での反射光との間に、色の差が生じることが抑制されている。つまり、傾斜反射部１９ｂの外側寄りの部分では、より多くの一次光（マゼンタ色光）が反射され、かつより多くの二次光（緑色光）が吸収される。
【００６４】
このような照明装置１２では、波長変換シート２１の画面中央側と画面周縁側とにそれぞれ供給される一次光の量等が均質化され、その結果、照明装置１２から出射される出射光の色が均質化され、色ムラが抑制される。
【００６５】
本実施形態の呈色部２０は、ドット状であるため、傾斜反射部１９ｂの表面上で、ＬＥＤ１７からの光（一次光）の反射効率を高めるために、例えば、いわゆるベタ塗りの呈色部を形成した場合と比べて、呈色部２０の密度を容易に段階的に変化させることができる。また、呈色部２０がドット状であると、呈色部２０を形成する塗料等の材料の使用量を抑えることができる。また、呈色部２０がドット状であると、隣り合った呈色部２０の間から傾斜反射部１９ｂが露出しているため、例えば、照明装置１２の組立時において、反射シート１９の傾斜反射部１９ｂにある呈色部２０が、不必要に他の部材と接着することが抑制される。  
【００６６】
＜実施形態２＞
次いで、本発明の実施形態２を、図６を参照しつつ説明する。本実施形態は、実施形態１の呈色部２０に代えて、呈色部２０Ａを、反射シート１９の傾斜反射部１９ｂに形成したものからなる。なお、実施形態１と同様の構成については、説明を省略する（以降の実施形態においても同様である）。図６は、実施形態２の照明装置が備える呈色部２０Ａが形成された反射シート１９の一部を拡大した平面図である。図６には、平面状に展開された反射シート１９の一部が示されている。反射シート１９の傾斜反射部１９ｂには、実施形態１と同様、ＬＥＤ１７からの光（マゼンタ色光）と同じマゼンタ色のドット状の呈色部（マゼンタ呈色部）２０Ａが形成されている。ただし、各呈色部２０Ａは、内側（底側反射部１９ａ側）から外側（延設部１９ｃ側）に向かうにつれて、単位面積Ｓ２当たりのマゼンタ色の濃度が徐々に高くなるように複数個設定されている。なお、本実施形態の場合、各呈色部２０Ａは同じ形状（円形状）であり、各呈色部２０Ａの大きさも同じに設定されている。「単位面積Ｓ２」は、上記単位面積Ｓ１と同様、最も大きな呈色部２０Ａが内側に収まる正方形の面積Ｓ２として定義され、傾斜反射部１９ｂ（短辺側傾斜反射部１９ｂ１）の表面は、底側反射部１９ａと短辺側傾斜反射部１９ｂ１との間の境界線Ｌ１から、短辺側延設部１９ｃ１と短辺側傾斜反射部１９ｂ１との間の境界線Ｌ２との間において、単位面積Ｓ２に相当する正方形で、複数の領域に分割される。このように単位面積Ｓ２毎に分割された各領域では、底側反射部１９ａ側から外側（延設部１９ｃ側）に向かうにつれて、各領域（単位面積Ｓ２）内の呈色部２０Ａの濃度が高くなっている。なお、各呈色部２０Ａは、境界線Ｌ１、Ｌ２が延びる方向においては、等間隔であり、かつ同じ色の濃度で配設されている。各呈色部２０Ａの濃度は、呈色部２０Ａ用の塗料に添加する着色剤（例えば、顔料等）の量を適宜、変えることで調整される。各呈色部２０Ａは、全体的には、傾斜反射部１９ｂの表面上に全面的に拡がるように形成されている。なお、底側反射部１９ａには、実施形態１と同様、マゼンタ色の呈色部３０が形成され、また、延設部１９ｃにも、マゼンタ色の呈色部４０Ａが形成されている。
【００６７】
本実施形態のような呈色部２０Ａを設けた反射シート１９を利用しても、実施形態１と同様、波長変換シートの画面中央側と画面周縁側とにそれぞれ供給される一次光の量等が均質化され、その結果、照明装置から出射される出射光の色が均質化され、色ムラが抑制される。また、本実施形態においても、反射シート１９の傾斜反射部１９ｂの内側寄りの部分での反射光と、傾斜反射部１９ｂの外側寄りの部分での反射光との間に、色の差が生じることが抑制される。つまり、傾斜反射部１９ｂの外側寄りの部分では、より多くの一次光（マゼンタ色光）が反射され、かつより多くの二次光（緑色光）が吸収される。
【００６８】
＜実施形態３＞
次いで、本発明の実施形態３を、図７を参照しつつ説明する。本実施形態は、実施形態１の呈色部２０に代えて、呈色部２０Ｂを、反射シート１９の傾斜反射部１９ｂに形成したものからなる。図７は、実施形態３の照明装置が備える呈色部２０Ｂが形成された反射シート１９の一部を拡大した平面図である。図７には、平面状に展開された反射シート１９の一部が示されている。反射シート１９の傾斜反射部１９ｂには、実施形態１と同様、ＬＥＤ１７からの光（マゼンタ色光）と同じマゼンタ色のドット状の呈色部（マゼンタ呈色部）２０Ｂが形成されている。ただし、各呈色部２０Ｂは、内側（底側反射部１９ａ側）から外側（延設部１９ｃ側）に向かうにつれて、単位面積Ｓ３当たりの個数が多くなるように複数個設定されている。つまり、本実施形態でも、内側から外側に向かうにつれて、単位面積Ｓ３当たりの密度が高くなるように、呈色部２０Ｂが傾斜反射部１９ｂ上に形成されている。なお、各呈色部２０Ｂの大きさは、同じに設定されているものの、各呈色部２０Ｂの中には、複数個の呈色部２０Ｂが集まって１つの呈色部群を形成しているものがある。例えば、図７において、最も外側（延設部１９ｃ側）に配されている呈色部群は、７つの呈色部２０Ｂが集まって構成されてり、また、それよりも内側（底側反射部１９ａ側）には、５つの呈色部２０Ｂが集まって構成された呈色部群、及び３つの呈色部２０Ｂが集まって構成された呈色部群が配されている。「単位面積Ｓ３」は、最も大きな呈色部群が内側に収まる正方形の面積Ｓ３として定義され、傾斜反射部１９ｂ（短辺側傾斜反射部１９ｂ１）の表面は、境界線Ｌ１から境界線Ｌ２との間において、単位面積Ｓ３に相当する正方形で、複数の領域に分割される。なお、各呈色部２０Ｂ（呈色部群）は、境界線Ｌ１、Ｌ２が延びる方向においては、等間隔であり、かつ同じ色の濃度で配設されている。各呈色部２０Ｂは、全体的には、傾斜反射部１９ｂの表面上に全面的に拡がるように形成されている。なお、底側反射部１９ａ及び延設部１９ｃにも、実施形態１と同様、マゼンタ色の呈色部３０及び呈色部４０が形成されている。
【００６９】
本実施形態のような呈色部２０Ｂ（呈色部群）を設けた反射シート１９を利用しても、実施形態１と同様、波長変換シートの画面中央側と画面周縁側とにそれぞれ供給される一次光の量等が均質化され、その結果、照明装置から出射される出射光の色が均質化され、色ムラが抑制される。また、本実施形態においても、反射シート１９の傾斜反射部１９ｂの内側寄りの部分での反射光と、傾斜反射部１９ｂの外側寄りの部分での反射光との間に、色の差が生じることが抑制される。
【００７０】
＜実施形態４＞
次いで、本発明の実施形態４を、図８を参照しつつ説明する。本実施形態は、実施形態１の呈色部２０に代えて、呈色部２０Ｃ１，２０Ｃ２を、反射シート１９の傾斜反射部１９ｂに形成したものからなる。図８は、実施形態４の照明装置が備える呈色部２０Ｃ１，２０Ｃ２が形成された反射シート１９の一部を拡大した平面図である。図８には、平面状に展開された反射シート１９の一部が示されている。傾斜反射部１９ｂには、実施形態１とは異なり、ＬＥＤ１７からの光（マゼンタ色光）を構成する各原色光（つまり、青色光、赤色光）と同じ色と呈するドット状の青色の呈色部（青色呈色部）２０Ｃ１と、ドット状の赤色の呈色部（赤色呈色部）２０Ｃ２とが形成されている。青色呈色部２０Ｃ１は、内側（底側反射部１９ａ側）から外側（延設部１９ｃ側）に向かうにつれて、単位面積Ｓ４当たりの密度が高くなるように、複数個配設されており、また、赤色呈色部２０Ｃ２も、内側（底側反射部１９ａ側）から外側（延設部１９ｃ側）に向かうにつれて、単位面積Ｓ４当たりの密度が高くなるように、複数個配設されている。「単位面積Ｓ４」は、最も大きな呈色部が内側に収まる正方形の面積Ｓ４として定義され、傾斜反射部１９ｂ（短辺側傾斜反射部１９ｂ１）の表面は、境界線Ｌ１から境界線Ｌ２との間において、単位面積Ｓ４に相当する正方形の複数の領域に分割される。なお、本実施形態の場合、境界線Ｌ１と境界線Ｌ２との間において、青色呈色部２０Ｃ１及び赤色呈色部２０Ｃ２は、共に同じ個数配され、かつ共に同じ大きさのものが境界線Ｌ１の延びる方向に並ぶ形で配されている。また、境界線Ｌ１が延びる方向において、青色呈色部２０Ｃ１と赤色呈色部２０Ｃ２とは交互に等間隔で配されている。各呈色部２０Ｃ１，２０Ｃ２は、全体的には、傾斜反射部１９ｂの表面上に全面的に拡がるように形成されている。なお、底側反射部１９ａには、実施形態１と同様、マゼンタ色の呈色部３０が形成されている。また、延設部１９ｃには、青色の呈色部４０Ｃ１と、赤色の呈色部４０Ｃ２とが、境界線Ｌ２が延びる方向に沿って交互に並ぶ形で配設されている。
【００７１】
本実施形態のような青色呈色部２０Ｃ１及び赤色呈色部２０Ｃ２を設けた反射シート１９を利用しても、実施形態１と同様、波長変換シートの画面中央側と画面周縁側とにそれぞれ供給される一次光の量等が均質化され、その結果、照明装置から出射される出射光の色が均質化され、色ムラが抑制される。また、本実施形態においても、反射シート１９の傾斜反射部１９ｂの内側寄りの部分での反射光と、傾斜反射部１９ｂの外側寄りの部分での反射光との間に、色の差が生じることが抑制される
【００７２】
＜実施形態５＞
次いで、本発明の実施形態５を、図９を参照しつつ説明する。本実施形態は、実施形態１の呈色部２０に代えて、呈色部２０Ｄ１，２０Ｄ２を、反射シート１９の傾斜反射部１９ｂに形成したものからなる。図９は、実施形態５の照明装置が備える呈色部２０Ｄ１，２０Ｄ２が形成された反射シート１９の一部を拡大した平面図である。図９には、平面状に展開された反射シート１９の一部が示されている。傾斜反射部１９ｂには、実施形態１とは異なり、ＬＥＤ１７からの光（マゼンタ色光）を構成する各原色光（つまり、青色光、赤色光）と同じ色と呈するドット状の青色の呈色部（青色呈色部）２０Ｄ１と、ドット状の赤色の呈色部（赤色呈色部）２０Ｄ２とが形成されている。青色呈色部２０Ｄ１と、赤色呈色部２０Ｄ２とは、境界線Ｌ１と境界線Ｌ２との間において、交互に並ぶ形で配設されている。そして、青色呈色部２０Ｄ１及び赤色呈色部２０Ｄ２は、内側（底側反射部１９ａ側）から外側（延設部１９ｃ側）に向かうにつれて、単位面積Ｓ５当たりの密度が高くなるように、配設されている。「単位面積Ｓ５」は、最も大きな呈色部２０Ｄ１が内側に収まる正方形の面積Ｓ５として定義され、傾斜反射部１９ｂ（短辺側傾斜反射部１９ｂ１）の表面は、境界線Ｌ１から境界線Ｌ２との間において、単位面積Ｓ５に相当する正方形の複数の領域に分割される。また、境界線Ｌ１が延びる方向において、青色呈色部２０Ｄ１と赤色呈色部２０Ｄ２とは交互に等間隔で配されている。各呈色部２０Ｄ１，２０Ｄ２は、全体的には、傾斜反射部１９ｂの表面上に全面的に拡がるように形成されている。なお、底側反射部１９ａには、実施形態１と同様、マゼンタ色の呈色部３０が形成されている。また、延設部１９ｃには、青色の呈色部４０Ｄ１と、赤色の呈色部４０Ｄ２とが、境界線Ｌ２が延びる方向に沿って交互に並ぶ形で配設されている。
【００７３】
本実施形態のような青色呈色部２０Ｄ１及び赤色呈色部２０Ｄ２を設けた反射シート１９を利用しても、実施形態１と同様、波長変換シートの画面中央側と画面周縁側とにそれぞれ供給される一次光の量等が均質化され、その結果、照明装置から出射される出射光の色が均質化され、色ムラが抑制される。また、本実施形態においても、反射シート１９の傾斜反射部１９ｂの内側寄りの部分での反射光と、傾斜反射部１９ｂの外側寄りの部分での反射光との間に、色の差が生じることが抑制される。
【００７４】
＜実施形態６＞
次いで、本発明の実施形態６を、図１０を参照しつつ説明する。本実施形態は、実施形態１の円形状の呈色部２０に代えて、四角形（正方形）状（ドット状の一例）のマゼンタ色の呈色部（マゼンタ色呈色部）２０Ｅを形成したものからなる。図１０は、実施形態６の照明装置が備える呈色部２０Ｅが形成された反射シート１９の一部を拡大した平面図である。各呈色部２０Ｅは、内側（底側反射部１９ａ側）から外側（延設部１９ｃ側）に向かうにつれて、単位面積Ｓ６当たりの密度が高くなるように設定されている。「単位面積Ｓ６」は、最も大きな呈色部２０Ｅが内側に収まる正方形の面積Ｓ６として定義され、傾斜反射部１９ｂ（短辺側傾斜反射部１９ｂ１）の表面は、境界線Ｌ１から境界線Ｌ２との間において、単位面積Ｓ６に相当する正方形の複数の領域に分割される。なお、境界線Ｌ１が延びる方向において、呈色部２０Ｅは等間隔で配されている。各呈色部２０Ｅは、全体的には、傾斜反射部１９ｂの表面上に全面的に拡がるように形成されている。なお、底側反射部１９ａには、四角形状のマゼンタ色の呈色部３０が形成され、また、延設部１９ｃには、四角形状のマゼンタ色の呈色部４０Ｅが形成されている。
【００７５】
本実施形態のような四角形状の呈色部２０Ｅを設けた反射シート１９を利用しても、実施形態１と同様、波長変換シートの画面中央側と画面周縁側とにそれぞれ供給される一次光の量等が均質化され、その結果、照明装置から出射される出射光の色が均質化され、色ムラが抑制される。また、本実施形態においても、反射シート１９の傾斜反射部１９ｂの内側寄りの部分での反射光と、傾斜反射部１９ｂの外側寄りの部分での反射光との間に、色の差が生じることが抑制される
【００７６】
＜他の実施形態＞
本発明は上記記述及び図面によって説明した実施形態に限定されるものではなく、例えば次のような実施形態も本発明の技術的範囲に含まれる。
（１）上記実施形態では、呈色部として塗膜からなるものを例示したが、本発明はこれに限られず、例えば、ＬＥＤから発せられた光と同色のセロファン等を呈色部として用いてもよい。ただし、上記実施形態のように、塗膜からなる呈色部は、既存の塗工装置（印刷装置等）を使用して形成することができ、しかも形成速度が速く好ましい。
（２）上記実施形態では、マゼンタ色光（青色光、赤色光）を出射するＬＥＤ（光源）を使用したが、本発明はこれに限られない。例えば、青色光を一次光として出射する光源を使用し、蛍光体として、青色光を緑色光に波長変換する緑色蛍光体と、青色光を赤色光に波長変換する赤色蛍光体とを含む波長変換シートを使用してもよい。この場合、波長変換シートからは、前記蛍光体で波長変換された二次光として、緑色光と赤色光が出射され、反射シートの傾斜反射部等には、青色の呈色部（青色呈色部）が形成される。また、緑色蛍光体として、例えば、ＳｒＧａ２Ｓ４：Ｅｕ２＋を使用し、赤色蛍光体として、例えば、（Ｃａ，Ｓｒ，Ｂａ）Ｓ：Ｅｕ２＋を使用してもよい。
（３）また、他の場合としては、青色光を一次光として出射する光源を使用し、蛍光体として、青色光を黄色光に波長変換する黄色蛍光体を含む波長変換シートを使用してもよい。この場合、波長変換シートからは、前記蛍光体で波長変換された二次光として、黄色光が出射され、反射シートの傾斜反射部等には、青色の呈色部（青色呈色部）が形成される。
（４）また、他の場合としては、紫色の光を出射する光源を使用し、蛍光体として、黄色蛍光体及び緑色蛍光体を含む波長変換シートを使用してもよい。この場合、呈色部としては、紫色の呈色部が利用される。
（５）また、他の場合としては、シアン色の光を出射する光源を使用し、蛍光体として、赤色蛍光体を含む波長変換シートを使用してもよい。この場合、呈色部としては、シアン色の呈色部が利用される。
（６）上記実施形態では、波長変換シートの蛍光体として、硫黄化物蛍光体を使用したが、本発明はこれに限られず、例えば、量子ドット蛍光体(Quantum Dot Phosphor)を用いてもよい。量子ドット蛍光体は、ナノサイズ（例えば、直径２ｎｍ〜１０ｎｍ程度）の半導体結晶中に電子・正孔や励起子を三次元空間方位で閉じ込めることで、離散的エネルギー準位を有しており、そのドットのサイズを変えることで発光光のピーク波長（発光色）等を適宜選択することができる。なお、量子ドット蛍光体は、空気中の酸素や水分と反応して劣化し易く、また環境負荷物質であるカドミウム等を使用するため、波長変換シートの蛍光体としては、上述した硫化物蛍光体が好ましい。硫化物蛍光体は、二酸化ケイ素膜で被覆されており、また、波長変換シート中にガス吸収材を添加することで、高温高湿環境下においても、信頼性が高いと言える。
（７）上記実施形態では、ドット状の呈色部として、円形状、四角形状のものを使用したが、本発明のドット状の呈色部は、これらの形状に限られず、例えば、三角形状等の多角形状、楕円形状、不規則な形状等、本願発明の目的を損なわない限り、特に制限はない。
（８）上記実施形態では、反射シートの傾斜反射部における単位面積を、最も大きな呈色部が内側に収まる正方形として定義したが、これ以外の単位面積を用いてもよい。例えば、底側反射部側から外側に向かう方向において、一辺の長さが１０ｍｍの正方形の面積を単位面積としてもよい。
（９）上記実施形態では、透過型の液晶表示装置を例示したが、それ以外に、半透過型の液晶表示装置にも本発明は適用可能である。
（１０）上記実施形態では、表示パネルとして液晶パネルを用いた液晶表示装置を例示したが、他の種類の表示パネルを用いた表示装置にも本発明は適用可能である。
（１１）上記実施形態では、チューナーを備えたテレビ受信装置を例示したが、本発明は、チューナーを備えていない表示装置（例えば、電子看板、電子黒板等）にも適用可能である。
【符号の説明】
【００７７】
１０…液晶表示装置（表示装置）、１１…液晶パネル、１１ａ…表示面、１１ｂ…背面、１１ｃ…遮光部、１２…照明装置、１３…ベゼル、１４…シャーシ、１４ａ…底部、１４ｂ…光出射部、１４ｃ…側壁部、１４ｄ…受け部、１４ｅ…立壁部、１５…光学部材、１５ａ…拡散板、１５ａ１…第１拡散板、１５ａ２…第２拡散板、１５ｂ…光学シート、１６…フレーム（枠状部材）、１６ａ…被覆部、１６ｂ…外壁部、１７…ＬＥＤ（光源）、１７ａ…発光面、１８…ＬＥＤ基板、１８ａ…実装面、１９…反射シート、１９ａ…底側反射部、１９ｂ…傾斜反射部、１９ｃ…延設部、１９ｄ…挿通部、２０…呈色部、２１…波長変換シート、２２…レンズシート、２３…反射型偏光シート、ＡＡ…表示領域、ＮＡＡ…非表示領域
【図１】
2018181811.tif 000003
【図２】
2018181811.tif 000004
【図３】
2018181811.tif 000005
【図４】
2018181811.tif 000006
【図５】
2018181811.tif 000007
【図６】
2018181811.tif 000008
【図７】
2018181811.tif 000009
【図８】
2018181811.tif 000010
【図９】
2018181811.tif 000011
【図１０】
2018181811.tif 000012